(57)【要約】      （修正有）【課題】複数点入力可能な５線式のタッチパネルを提供する。【解決手段】第１の基板上に形成された上部導電膜を有す上部電極基板と、第２の基板上に形成された下部導電膜を有す下部電極基板と、下部導電膜おいて電位分布を生じさせるために下部導電膜の四辺の端部に各々設けられた４つの電極を有し、上部導電膜と下部導電膜が対向配置されるタッチパネルにおいて、上部導電膜は、上部導電膜の四辺のうち一辺と接する導電領域と、一辺と接しない導電領域からなる複数の導電領域に分割され、一辺と接していない導電領域は、一辺に延びる上部導電膜からなる引出部を有し、一辺と接する導電領域は、一辺の近傍に上部導電膜の一部を除去することにより形成された導電膜除去領域を有する抵抗部を有し、引出部における抵抗値と抵抗部における抵抗値は略等しいものであって、下部導電膜と上部導電膜との複数の接触位置における各々の座標位置を検出できるタッチパネル。【選択図】図９
2010256999.tif 000002
【特許請求の範囲】
【請求項１】
第１の基板上に形成された上部導電膜を有する上部電極基板と、
第２の基板上に形成された下部導電膜を有する下部電極基板と、
前記下部導電膜おいて電位分布を生じさせるために前記下部導電膜の四辺の端部に各々設けられた４つの電極と、
を有し、前記上部導電膜と前記下部導電膜とは対向して配置されるタッチパネルにおいて、
前記上部導電膜は、前記上部導電膜の四辺のうち一辺と接する導電領域と、前記一辺と接していない導電領域からなる複数の導電領域に分割されており、
前記一辺と接していない導電領域は、前記一辺に延びる上部導電膜からなる引出部を有しており、
前記一辺と接する導電領域には、前記一辺の近傍に前記上部導電膜の一部を除去することにより形成された導電膜除去領域を有する抵抗部を有しており、
前記引出部における抵抗値と前記抵抗部における抵抗値は略等しいものであって、
前記下部導電膜と前記上部導電膜との複数の接触位置における各々の座標位置を検出することを特徴とするタッチパネル。
【請求項２】
前記導電膜除去領域は、レーザ光の照射により形成されるものであることを特徴とする請求項１に記載のタッチパネル。
【請求項３】
前記上部電極膜における縦方向、又は、横方向における導電領域の分割数のうち数の少ない方向の分割数が偶数であることを特徴とする請求項１または２に記載のタッチパネル。
【請求項４】
前記上部電極膜における縦方向、又は、横方向における導電領域の分割数のうち数の少ない方向に沿った辺における分割数が４以上であって、前記分割された導電領域のうち、分割数の多い方向に沿った辺には隣接していない導電領域は、前記分割数の多い方向に沿った辺に延びる前記引出部が設けられていることを特徴とする請求項１から３のいずれかに記載のタッチパネル。
【請求項５】
前記分割数は５以上であって、分割数の多い方向に沿った辺には隣接していない導電領域は、長い引出部を有する導電領域と、前記長い引出部よりも引出部が短く形成された短い引出部を有する導電領域とを有し、
前記短い引出部を有する導電領域は、前記短い引出部と接続される他の抵抗部を有しており、前記長い引出部における抵抗値と、前記短い引出部と前記他の抵抗部との抵抗値の和は、略等しい値であることを特徴とする請求項４に記載のタッチパネル。
【請求項６】
前記短い引出部の幅は、前記長い引出部の幅よりも狭いことを特徴とする請求項５に記載のタッチパネル。
【請求項７】
前記上部電極膜における縦方向、又は、横方向における導電領域の分割数は同じであって、一方を分割数の少ない方向とし、他方を分割数の多い方向としたものであることを特徴とする請求項３から６のいずれかに記載のタッチパネル。
【請求項８】
前記導電領域は、長方形状又は正方形状であって、長辺又は一辺の長さが２５ｍｍ以下であることを特徴とする請求項１から７いずれかに記載のタッチパネル。
【請求項９】
上部導電膜は透明導電膜であることを特徴とする請求項１から８いずれかに記載のタッチパネル。
【請求項１０】
下部導電膜は透明導電膜であることを特徴とする請求項１から９いずれかに記載のタッチパネル。
【発明の詳細な説明】
【技術分野】
【０００１】
本発明は、タッチパネルに関する。
【背景技術】
【０００２】
タッチパネルは、ディスプレイに直接入力をすることが可能な入力デバイスであり、ディスプレイの前面に設置して使用される。このタッチパネルは、ディスプレイにより視覚的にとらえた情報に基づき、直接入力することができることから、様々な用途において普及している。
【０００３】
このようなタッチパネルとしては、抵抗膜方式が広く知られている。抵抗膜方式のタッチパネルは、透明導電膜が形成された上部電極基板及び下部電極基板において、各々の透明導電膜同士が対向するように設置し、上部電極基板の一点に力を加えることにより各々の透明導電膜同士が接触し、力の加えられた位置の位置検出を行うことができるものである。
【０００４】
抵抗膜方式のタッチパネルは、４線式と５線式とに大別することができる。４線式は、上部電極基板又は下部電極基板のどちらか一方にＸ軸の電極が設けられており、他方にＹ軸の電極が設けられている。一方、５線式は、下部電極基板にＸ軸の電極及びＹ軸の電極がともに設けられており、上部電極基板は、電圧を検出するためのプローブとして機能するものである（例えば、特許文献１、２）。
【０００５】
具体的に、図１及び図２に基づき５線式のタッチパネルについて説明する。図１は、５線式のタッチパネルの斜視図であり、図２は、５線式のタッチパネルの断面の概要図である。
【０００６】
５線式のタッチパネル２００は、上部電極基板となる一方の面に透明導電膜２３０の形成されたフィルム２１０と、下部電極基板となる一方の面に透明導電膜２４０の形成されたガラス２２０からなり、透明導電膜２３０及び透明導電膜２４０が対向するようにスペーサ２５０を介し設置されている。５線式のタッチパネル２００と不図示のホストコンピュータとはケーブル２６０により電気的に接続されている。
【０００７】
このような構成の５線式のタッチパネル２００では、図３（ａ）に示すように、透明導電膜２４０の端部の４辺に設けられた電極２４１、２４２、２４３、２４４により、Ｘ軸方向、Ｙ軸方向に交互に電圧を印加し、透明導電膜２３０と透明導電膜２４０とが、接触位置Ａ点において接触することにより、図３（ｂ）に示すように、透明導電膜２３０を介し電位Ｖａを検出し、Ｘ軸方向及びＹ軸方向の各々の座標位置を検出する方式である。
【０００８】
ところで、上述した５線式のタッチパネルでは、一点における接触位置は検出することは可能であるが、複数点が同時に接触した場合には位置検出をすることができない。
【０００９】
即ち、図４（ａ）に示すように、透明導電膜２４０の４辺に設けられた電極２４１、２４２、２４３、２４４により、Ｘ軸方向、Ｙ軸方向に交互に電圧を印加した場合において、透明導電膜２３０と透明導電膜２４０とが接触位置Ａ点及びＢ点の２点において接触すると、Ａ点とＢ点の間の中間点における押下されていない一点の座標位置が検出されてしまう。これは、図４（ｂ）に示すように、電位検出による位置検出方法であることから、接触位置Ａ点及びＢ点の二点で接触した場合であっても、透明導電膜２３０を介し検出される電位はＶｃの１つだけであるため、接触位置が一点であるものと判断してしまうためである。
【先行技術文献】
【特許文献】
【００１０】
【特許文献１】特開２００４−２７２７２２号公報
【特許文献２】特開２００８−２９３１２９号公報
【発明の概要】
【発明が解決しようとする課題】
【００１１】
本発明は、上記に鑑みてなされたものであり、複数の接触位置において同時に接触した場合においても、各々の接触位置を検出することができるとともに、接触位置が移動した場合においても、位置検出が可能なタッチパネルを提供することを目的とするものである。
【課題を解決するための手段】
【００１２】
本発明は、第１の基板上に形成された上部導電膜を有する上部電極基板と、第２の基板上に形成された下部導電膜を有する下部電極基板と、前記下部導電膜おいて電位分布を生じさせるために前記下部導電膜の四辺の端部に各々設けられた４つの電極と、を有し、前記上部導電膜と前記下部導電膜とは対向して配置されるタッチパネルにおいて、前記上部導電膜は、前記上部導電膜の四辺のうち一辺と接する導電領域と、前記一辺と接していない導電領域からなる複数の導電領域に分割されており、前記一辺と接していない導電領域は、前記一辺に延びる上部導電膜からなる引出部を有しており、前記一辺と接する導電領域には、前記一辺の近傍に前記上部導電膜の一部を除去することにより形成された導電膜除去領域を有する抵抗部を有しており、前記引出部における抵抗値と前記抵抗部における抵抗値は略等しいものであって、前記下部導電膜と前記上部導電膜との複数の接触位置における各々の座標位置を検出することを特徴とする。
【００１３】
また、本発明は、前記導電膜除去領域は、レーザ光の照射により形成されるものであることを特徴とする。
【００１４】
また、本発明は、前記上部電極膜における縦方向、又は、横方向における導電領域の分割数のうち数の少ない方向の分割数が偶数であることを特徴とする。
【００１５】
また、本発明は、前記上部電極膜における縦方向、又は、横方向における導電領域の分割数のうち数の少ない方向に沿った辺における分割数が４以上であって、前記分割された導電領域のうち、分割数の多い方向に沿った辺には隣接していない導電領域は、前記分割数の多い方向に沿った辺に延びる前記引出部が設けられていることを特徴とする。
【００１６】
また、本発明は、前記分割数は５以上であって、分割数の多い方向に沿った辺には隣接していない導電領域は、長い引出部を有する導電領域と、前記長い引出部よりも引出部が短く形成された短い引出部を有する導電領域とを有し、前記短い引出部を有する導電領域は、前記短い引出部と接続される他の抵抗部を有しており、前記長い引出部における抵抗値と、前記短い引出部と前記他の抵抗部との抵抗値の和は、略等しい値であることを特徴とする。
【００１７】
また、本発明は、前記短い引出部の幅は、前記長い引出部の幅よりも狭いことを特徴とする。
【００１８】
また、本発明は、前記上部電極膜における縦方向、又は、横方向における導電領域の分割数は同じであって、一方を分割数の少ない方向とし、他方を分割数の多い方向としたものであることを特徴とする。
【００１９】
また、本発明は、前記導電領域は、長方形状又は正方形状であって、長辺又は一辺の長さが２５ｍｍ以下であることを特徴とする。
【００２０】
また、本発明は、上部導電膜は透明導電膜であることを特徴とする。
【００２１】
また、本発明は、下部導電膜は透明導電膜であることを特徴とする。
【発明の効果】
【００２２】
本発明によれば、複数の接触位置において同時に接触した場合においても、各々の接触位置を検出することができるとともに、接触位置が移動した場合においても、位置検出が可能なタッチパネルを提供することができる。
【図面の簡単な説明】
【００２３】
【図１】従来の５線式のタッチパネルの斜視図
【図２】従来の５線式のタッチパネルの断面概要図
【図３】従来の５線式のタッチパネルにおける座標検出方法の説明図（１）
【図４】従来の５線式のタッチパネルにおける座標検出方法の説明図（２）
【図５】第１の実施の形態におけるタッチパネルの上部電極基板における構造図
【図６】第１の実施の形態におけるタッチパネルの下部電極基板における構造図
【図７】第１の実施の形態におけるタッチパネルの断面図
【図８】第１の実施の形態におけるタッチパネルの説明図
【図９】第１の実施の形態におけるタッチパネルの上部電極基板の説明図
【図１０】第２の実施の形態におけるタッチパネルの上部電極基板の説明図
【発明を実施するための形態】
【００２４】
本発明を実施するための形態について、以下に説明する。
【００２５】
〔第１の実施の形態〕
第１の実施の形態におけるタッチパネルについて説明する。図５は本実施の形態におけるタッチパネルの上部電極基板における構造図であり、図６は本実施の形態におけるタッチパネルの下部電極基板における構造図であり、図７は本実施の形態におけるタッチパネルの断面図であり、図８は本実施の形態におけるタッチパネルの説明図である。
【００２６】
本実施の形態におけるタッチパネルは、フィルム１１の一方の面に透明導電膜１２が形成された略長方形状の上部電極基板１０と、上部電極基板１０と略同じ形状のガラス基板２１の一方の面に透明導電膜２２が形成された下部電極基板２０により構成される。
【００２７】
上部電極基板１０と下部電極基板２０とは、上部電極基板１０における透明導電膜１２と下部電極基板２０における透明導電膜２２とが対向するように、スペーサ３１等を介し、接着剤または両面テープにより接合されている。
【００２８】
上部電極基板１０における透明導電膜１２は、短手方向である縦方向に４分割、長手方向である横方向に８分割されており全体が３２分割されている。透明導電膜１２を各々の導電領域の分割は、導電領域となる領域間の透明導電膜１２を除去することにより行われる。これにより、分割された導電領域間では電気的に絶縁することができる。各々の分割された透明導電膜１２は、上部電極基板１０の短手方向の両端に設けられた引出電極部１３における各々の引出電極と接続されており、上部電極基板１０の周囲に配線され、上部電極基板１０の長手方向の一方の端部においてフレキシブル基板１４と接続されている。
【００２９】
また、下部電極基板２０は、図８に示すように下部電極基板２０を構成する４辺の端部において、透明導電膜２２上に４つの電極２３、２４、２５、２６が設けられており、これら４つの電極２３、２４、２５、２６は引出線により、下部電極基板２０の周囲より引出され、図６に示すように、下部電極基板２０の長手方向の一方の端部においてフレキシブル基板２７と接続されている。
【００３０】
フレキシブル基板１４とフレキシブル基板２７はともに不図示の制御回路に接続されており、更に不図示のホストコンピュータに接続されている。尚、透明導電膜１２及び透明導電膜２２を構成する材料としては、ＩＴＯ（Indium Tin Oxide）、ＺｎＯ（酸化亜鉛）にＡｌまたはＧａ等が添加された材料、ＳｎＯ２（酸化スズ）にＳｂ等が添加された材料等が挙げられる。
【００３１】
また、フィルム１１は、ＰＥＴ（ポリエチレンテレフタレート：polyethylene
terephthalate）、ＰＣ（ポリカーボネート：Polycarbonate）及び、可視領域において透明の樹脂材料が挙げられる。更に、ガラス基板２１に代えて、樹脂基板を用いてもよい。
【００３２】
本実施の形態におけるタッチパネルは、上部電極基板１０を指等により押すことにより、上部電極基板１０における透明導電膜１２と、下部電極基板２０における透明導電膜２２とが接触し、接触した位置における電圧を検知することにより、上部電極基板１０と下部電極基板２０との接触位置、即ち、上部電極基板１０が指等により押された位置が特定される。具体的には、上部電極基板１０において、分割された透明導電膜１２の各々について時分割による走査がされており、接触したタイミングにより接触位置が含まれる導電領域を特定することができる。尚、下部電極基板２０における透明導電膜２２上の４辺に設けられた電極２３、２４、２５、２６により、Ｘ軸方向、Ｙ軸方向に交互に電圧が印加されている。
【００３３】
このように、上部電極基板１０において透明導電膜１２を分割し導電領域を形成することにより、上部電極基板１０と下部電極基板２０とが接触した接触位置が複数であっても、分割された透明導電膜１２の導電領域ごとに接触位置を特定することができるため、各々の接触位置を独立して検出することが可能である。
【００３４】
即ち、図８に示すように、上部電極基板１０における透明導電膜１２と下部電極基板２０における透明導電膜２２との接触位置が、矢印Ａ、Ｂ、Ｃ、Ｄ、Ｅに示すように５つの場合であっても、各々の接触位置は、分割された透明導電膜１２の領域が異なるため、各々独立して接触位置が検出することが可能なのである。具体的には、上部電極基板１０と下部電極基板２０との接触位置が矢印Ａに示す位置である場合、透明導電膜１２の導電領域１２ａにおいて接触しており、接触位置が矢印Ｂに示す位置である場合、透明導電膜１２の導電領域１２ｂにおいて接触しており、接触位置が矢印Ｃに示す位置である場合、透明導電膜１２の導電領域１２ｃにおいて接触しており、接触位置が矢印Ｄに示す位置である場合、透明導電膜１２の導電領域１２ｄにおいて接触しており、接触位置が矢印Ｅに示す位置である場合、透明導電膜１２の導電領域１２ｅにおいて接触しているが、透明導電膜１２の導電領域１２ａ、１２ｂ、１２ｃ、１２ｄ、１２ｅは相互に絶縁された異なる領域であることから、各々を独立して検出することができる。よって、上部電極基板１０と下部電極基板２０との接触位置が５つの場合であっても、各々の接触位置を特定することが可能である。
【００３５】
以上より、透明導電膜１２と透明導電膜２２との接触位置が複数であっても、接触した導電領域を特定することができるとともに、透明導電膜２２における電位分布を検出することにより、より正確に座標位置も検出することが可能である。また、透明導電膜１２と透明導電膜２２との接触位置を移動させた場合においても、接触位置が移動したことを認識することができるとともに、透明導電膜２２における電位分布を検出することにより、移動した接触位置の位置座標を検出することも可能である。
【００３６】
次に、上部電極基板１０における透明導電膜１２の導電領域の分割について説明する。本実施の形態では、図９（ａ）に示すように、透明導電膜１２は、短手方向である縦方向に４分割、長手方向である横方向に８分割されており、合計で３２分割されている。これら分割された領域は、上側の２段と下側の２段に分けられている。図５に示すように、上側の２段は上端となる短手方向（縦方向）の一方の端部において、引出電極部１３における各々の引出電極と接続されており、下側の２段は下端となる短手方向（縦方向）の他方の端部において、引出電極部１３における各々の引出電極と接続されている。尚、本実施の形態におけるタッチパネルは、各々の導電領域が長方形状又は正方形状に形成されており、主に指により操作するものであるため、複数の導電領域うち、最も大きな導電領域における長辺又は一辺の長さは、２５ｍｍ以下であることが好ましく、より好ましくは２０ｍｍ以下である。これは、指の太さに基づくものであり、指先と指先とにより複数の接触位置において接触する場合においても、一辺の長さが指先と指先との間隔よりも短ければ、各々の接触位置を独立して検出することが可能であるからである。このため、人間の指先と指先との間隔及び快適となる操作性等を基準として、導電領域の一辺の長さの範囲を定めることができる。また、あまり小さいと後述する引出部の領域が増加し、機能上支障をきたすため、上記観点を踏まえた場合、複数の導電領域うち、最も小さな導電領域における短辺又は一辺の長さは、５ｍｍ以上が好ましく、より好ましくは７ｍｍ以上である。
【００３７】
尚、透明導電膜１２において各々の導電領域は、各々の導電領域の周辺部に沿って透明導電膜１２を除去することにより形成する。これにより、隣接する導電領域との間において絶縁性を保つことが可能である。
【００３８】
透明導電膜１２を除去する方法としては、透明導電膜１２が除去される領域にレーザ光を照射し、レーザ光の照射された部分の透明導電膜１２を熱又はアブレーションにより除去する方法、透明導電膜１２上にフォトレジストを塗布し、露光装置により露光、現像を行うことにより導電領域となる領域上にレジストパターンを形成し、ドライエッチング又はウエットエッジングを行うことにより、レジストパターンの形成されていない領域の透明導電膜１２を除去する方法、更には、透明導電膜１２が除去される領域上にエッチングペーストを印刷等し除去する方法等が挙げられる。好ましくは、レーザ光の照射により透明導電膜１２を除去する方法が好ましい。
【００３９】
尚、導電領域を形成するために除去される透明導電膜１２の幅は、１ｍｍ以下であることが好ましい。タッチパネルにおいては、形成される導電領域の幅が広くなると、検出不能領域が多くなってしまい、タッチパネルとしての機能を十分に発揮することができない。よって、タッチパネルに接触が想定されるものが指またはペン等であり、ペン等の先端は半径０．８ｍｍ程度であることから、透明導電膜１２が除去される領域の幅が１ｍｍ以下であれば、タッチパネルとしての機能に支障をきたさないものと考えられるからである。本実施の形態では、よりタッチパネルの視認性を高めるとともに、機能を高めるため透明導電膜１２が除去される領域の幅は約１００μｍで形成されている。
【００４０】
本実施の形態におけるタッチパネルでは、上部電極基板１０における透明導電膜１２において、導電領域１２１と導電領域１２２からなる導電領域のパターンを反転させたパターンが上側にも形成されており、縦方向に並ぶ４つの導電領域のパターンと同様のパターンが横方向に８列形成されている。
【００４１】
図９（ａ）において、破線で囲まれた領域の拡大図を図９（ｂ）に示す。図９（ｂ）に示されるように、透明導電膜１２の下側において２つに分割されたうちの一方を導電領域１２１、他方を導電領域１２２とした場合、他方の導電領域１２２は、上部電極基板１０の長手方向に沿った四辺の１つの辺と接しており、一方の導電領域１２１は、上部電極基板１０の四辺のうち長手方向に沿った辺とは接していない。このため、一方の導電領域１２１の領域部１２１ａから、上部電極基板１０の長手方向に沿った辺の端まで延びる引出部１２１ｂを形成し、更に、この辺の端に接する接続部１２１ｃを形成する。尚、この引出部１２１ｂは、上部電極基板１０の長手方向に沿った辺と接する２つの導電領域の間に形成されるものである。即ち、導電領域１２２と、導電領域１２２に隣接する辺と接する導電領域の間に形成されるものである。よって、本来は導電領域１２２となる領域に形成されるものである。このため、接触位置の誤認識を防ぐためにも、引出部１２１ｂはできるだけ細く形成することが好ましい。
【００４２】
本実施の形態では、図９（ｂ）に示すように、導電領域１２２において透明導電膜１２を除去した透明導電膜除去領域１４１及び１４２を設けることにより、導電領域１２２において接触位置が検出される領域部１２２ａと、引出電極１３２と接続するための接続部１２２ｃとの間に、透明導電膜除去領域１４１及び１４２により形成された抵抗部１２２ｂを形成する。
【００４３】
透明導電膜除去領域１４１は、透明導電膜１２の右側近傍を残して除去し、透明導電膜除去領域１４２は、透明導電膜１２の左側近傍を残して除去する。これにより透明導電膜１２において電気経路の長い抵抗部１２２ｂが形成される。この抵抗部１２２ｂにおける抵抗値は、引出部１２１ｂの抵抗値の値と略同じとなるように調整されている。具体的には、透明導電膜除去領域１４１と透明導電膜除去領域１４２との間隔及び長さを調整することにより、引出部１２１ｂの抵抗値の値と略同じとすることができる。尚、透明導電膜除去領域１４１及び１４２における透明導電膜１２の除去方法はレーザ光の照射により除去する方法が好ましい。
【００４４】
このようにして、引出電極１３１から導電領域１２１の領域部１２１ａまでの抵抗値と、引出電極１３２から導電領域１２２の領域部１２２ａまでの抵抗値とを略同じ値とすることが可能である。
【００４５】
尚、導電領域１２１は、接続部１２１ｃにおいて引出電極１３１と接続することができ、また、導電領域１２２は、接続部１２２ｃにおいて引出電極１３２と接続することができる。
【００４６】
導電領域１２１の接続部１２１ｃと引出電極１３１との接続は、接続部１２１ｃ上に銀ペーストを形成し接続する。同様に、導電領域１２２の接続部１２２ｃと引出電極１３２との接続は、接続部１２２ｃ上に銀ペーストを形成し接続する。尚、引出電極１３１及び１３２が複数集まることにより、図５に示す引出電極部１３が形成される。
【００４７】
本実施の形態では、いずれの導電領域においても引出電極までの抵抗値を同じものとすることができるため、駆動回路等において抵抗等を設ける必要がなく、複数の接触位置の検出が可能なタッチパネルを低コストに提供することができる。
【００４８】
〔第２の実施の形態〕
次に、第２の実施の形態について説明する。本実施の形態は、分割される導電領域を増やした構成のものである。
【００４９】
具体的には、上部電極基板１０における透明導電膜１２の縦方向の下側において、図１０に示すように、３つに分割し、導電領域２２１、導電領域２２２、導電領域２２３を形成する場合について説明する。この場合において、導電領域２２１、導電領域２２２、導電領域２２３と接続される接続電極を２３１、２３２、２３３は、導電領域２２３の設けられている側に引出される。
【００５０】
即ち、導電領域２２１の領域部２２１ａから上部電極基板１０の端部に延びる引出部２２１ｂを形成し、引出部２２１ｂと接続される上部電極基板１０側の端部には接続部２２１ｃを形成する。また、導電領域２２２の領域部２２２ａから上部電極基板１０の端部に延びる引出部２２２ｂを形成し、引出部２２２ｂと接続される抵抗部２２２ｃ、及び上部電極基板１０の端部において抵抗部２２２ｃと接続される接続部２２２ｄを形成する。また、導電領域２２３の領域部２２３ａの上部電極基板１０の端部側には抵抗部２２３ｂを形成し、抵抗部２２３ｂと接続される上部電極基板１０側の端部には接続部２２３ｃを形成する。
【００５１】
これにより、導電領域２２１は、接続部２２１ｃにおいて引出電極２３１と接続することができ、導電領域２２２は、接続部２２２ｄにおいて引出電極２３２と接続することができ、導電領域２２３は、接続部２２３ｃにおいて引出電極２３３と接続することができる。尚、引出電極２３１、２３２及び２３３が複数集まることにより、図５に示す引出電極部１３が形成される。
【００５２】
本実施の形態では、導電領域２２１における領域部２２１ａから引出電極２３１までの抵抗値と、導電領域２２２における領域部２２２ａから引出電極２３２までの抵抗値と、導電領域２２３から引出電極２３３までの抵抗値が同じ値となるように、導電領域２２２及び２２３において引出部及び抵抗部が形成される。尚、導電領域２２１における領域部２２１ａから接続部２２１ｃまでの抵抗値と、導電領域２２２における領域部２２２ａから接続部２２２ｃまでの抵抗値とをできるだけ近づけるため、引出部２２１ｂの幅は引出部２２２ｂの幅よりも広く形成されていることが好ましい。
【００５３】
具体的には、導電領域２２２の引出部２２２ｂと接続部２２２ｄとの間において、透明導電膜１２を除去した透明導電膜除去領域２４１及び２４２を設けることにより抵抗部２２２ｄを形成する。また、導電領域２２３において透明導電膜１２を除去した透明導電膜除去領域２４３、２４４、２４５及び２４６を設けることにより、導電領域２２３を接触位置が検出される領域部２２３ａと、引出電極２３３と接続するための接続部２３３ｃと、抵抗部２２３ｂとを形成する。
【００５４】
抵抗部２２２ｃは、透明導電膜除去領域２４１及び２４２により透明導電膜１２が除去されており、電気経路が長くなるため抵抗値を高くすることができる。また、抵抗部２２３ｂは、透明導電膜除去領域２４３、２４４、２４５及び２４６により透明導電膜１２が除去されており、より電気経路が長くなるためより抵抗値を高くすることができる。
【００５５】
これにより、導電領域２２１における引出部２２１ｂの抵抗値と、導電領域２２２における引出部２２２ｂと抵抗部２２２ｃとを合わせた抵抗値と、導電領域２２３における抵抗部２２３ｂにおける抵抗値との値を略同一の値とすることができる。このため、透明導電膜除去領域２４１及び２４２、透明導電膜除去領域２４３、２４４、２４５及び２４６の形状や配置が調整される。
【００５６】
尚、本実施の形態では、透明導電膜除去領域２４１、２４２、２４３、２４４、２４５及び２４６は、レーザ光を照射することにより透明導電膜１２を除去することにより形成されている。尚、製造工程の簡略化のためにも、各々の導電領域を形成する際における透明導電膜１２の除去方法と同じ方法であることが好ましい。また、透明導電膜除去領域２４１、２４２、２４３、２４４、２４５及び２４６は、これら透明導電膜除去領域の延びる方向に、他の透明導電膜除去領域が存在するように配置されていることが好ましい。このように配置することにより、各々の透明導電膜除去領域を形成する際に、無駄な位置あわせ等を行うことなく、レーザ光の制御により連続的に形成することができ、製造時間を短縮し、低コストで製造することが可能となるからである。
【００５７】
上記の構成のパターンを反転させたパターンを上部に設けることにより、上部電極基板１０の短手方向における導電領域の分割数が６となった場合においても、対応することが可能となる。また、更に導電領域の分割数が増えた場合においても、同様の方法により対応して、形成することが可能である。
【００５８】
尚、上記以外の内容については、第１の実施の形態と同様である。
【００５９】
以上、本発明の実施に係る形態について説明したが、上記内容は、発明の内容を限定するものではない。
【産業上の利用可能性】
【００６０】
本発明は、５線式の抵抗膜式タッチパネルに適用することができ、各種情報処理機器のディスプレイが、５線式の抵抗膜式タッチパネルで構成される場合に有用である。この場合の情報処理機器の例としては、携帯電話、情報携帯端末（ＰＤＡ）、携帯音楽プレイヤー、携帯画像プレイヤー、携帯ブラウザ、ワンセグチューナー、電子辞書、カーナビゲーションシステム、コンピュータ、ＰＯＳ端末、在庫管理端末、ＡＴＭ、各種マルチメディア端末等がある。
【符号の説明】
【００６１】
１０    上部電極基板
１１    フィルム
１２    透明導電膜
１３    引出電極部
１４    フレキシブル基板
２０    下部電極基板
２１    ガラス
２２    透明導電膜
２３    電極
２４    電極
２５    電極
２６    電極
２７    フレキシブル基板
３１    スペーサ
１２１  導電領域
１２１ａ    領域部
１２１ｂ    引出部
１２１ｃ    接続部
１２２  導電領域
１２２ａ    領域部
１２２ｂ    抵抗部
１２２ｃ    接続部
１３１  引出電極
１３２  引出電極
１４１  透明導電膜除去領域
１４２  透明導電膜除去領域
【図１】
2010256999.tif 000003
【図２】
2010256999.tif 000004
【図３】
2010256999.tif 000005
【図４】
2010256999.tif 000006
【図５】
2010256999.tif 000007
【図６】
2010256999.tif 000008
【図７】
2010256999.tif 000009
【図８】
2010256999.tif 000010
【図９】
2010256999.tif 000011
【図１０】
2010256999.tif 000012